(57)【要約】【課題】パチンコ遊技機等の機器本体と表装枠とを繋ぐ電線を不要とし、表装枠を開閉する際に電線を挟むおそれを無くすとともに、表装枠の交換も容易にする。【解決手段】機器本体１の前面に蝶番７ａ，７ｂを介して表装枠２を開閉可能に枢着してなる遊技機であって、表装枠に装着された電気機器２０の作動用電源を導電性の前記蝶番を介して機器本体側から供給すると共に、該機器本体に設けられた制御装置１０の制御用信号を該機器本体と表装枠とに対向状に設けられた送信機１４と受信機２４とからなるコードレス通信手段を介して前記電気機器２０に伝送する。【選択図】  図１
2004188166.tif 000002
【特許請求の範囲】
【請求項１】
機器本体の前面に蝶番を介して表装枠を開閉可能に枢着してなる遊技機であって、表装枠に装着された電気機器の作動用電源を導電性の前記蝶番を介して機器本体側から供給すると共に、該機器本体に設けられた制御装置の制御用信号を該機器本体と表装枠とに対向状に設けられた送信機と受信機とからなるコードレス通信手段を介して前記電気機器に伝送するようにしたことを特徴とする遊技機。
【請求項２】
機器本体の前面に蝶番を介して表装枠を開閉可能に枢着してなる遊技機であって、表装枠に装着された電気機器の作動用電源を該表装枠に設けられた導電性の錠金具を介して機器本体側から供給すると共に、該機器本体に設けられた制御装置の制御用信号を該機器本体と表装枠とに対向状に設けられた送信機と受信機とからなるコードレス通信手段を介して前記電気機器に伝送するようにしたことを特徴とする遊技機。
【請求項３】
機器本体の前面に蝶番を介して表装枠を開閉可能に枢着してなる遊技機であって、表装枠に装着された電気機器の作動用電源を機器本体と表装枠とに対向状に設けられたコードレス送電手段を介して機器本体側から供給すると共に、該機器本体に設けられた制御装置の制御用信号を該機器本体と表装枠とに対向状に設けられたコードレス通信手段を介して前記電気機器に伝送するようにしたことを特徴とする遊技機。
【請求項４】
電気機器はランプ，発光ダイオード等の発光機器である請求項１〜３のいずれかに記載の遊技機。
【請求項５】
コードレス通信手段は投光器と受光器とからなる光通信手段である請求項１〜４のいずれかに記載の遊技機。
【請求項６】
コードレス通信手段は制御用信号をシリアル信号に変換して送受信するものである請求項１〜５のいずれかに記載の遊技機。
【請求項７】
電気機器は液晶表示装置等の表示機器である請求項１〜６のいずれかに記載の遊技機。
【請求項８】
電気機器は音声再生機器である請求項１〜７のいずれかに記載の遊技機。
【請求項９】
コードレス通信手段は送信用電磁コイルと受信用電磁コイルとからなる電磁波通信手段である請求項１〜８のいずれかに記載の遊技機。
【請求項１０】
電気機器は操作スイッチである請求項１〜９のいずれかに記載の遊技機。
【請求項１１】
コードレス通信手段は制御装置の制御用信号と電気機器の制御用信号とを双方向に送受信するものである請求項１〜１０のいずれかに記載の遊技機。
【請求項１２】
コードレス送電手段は送電用電磁コイルと受電用電磁コイルとからなる電磁波送電手段である請求項３〜１１のいずれかに記載の遊技機。
【請求項１３】
コードレス送電手段は機器本体側に設けられた光源と表装枠に設けられた太陽電池とからなるものである請求項３〜１２のいずれかに記載の遊技機。
【請求項１４】
表装枠を開くことにより作動用電源の供給をオフとする開閉検出スイッチを機器本体に設けた請求項１〜１３のいずれかに記載の遊技機。
【発明の詳細な説明】
【０００１】
【発明の属する技術分野】
本発明はパチンコ機等の遊技機に関し、さらに詳しくは、その機器本体の前面の表装枠に装着されたランプ等の電気機器に作動用電源を供給すると共に、その制御用信号を送信する装置を備えた遊技機に関するものである。
【０００２】
【従来の技術】
パチンコ機等の遊技機の前面に開閉可能に枢着されたガラスの入った表装枠には、周知のように、ランプ，発光ダイオード等の発光機器、或いは操作スイッチ、或いは液晶表示装置等の表示機器、音声再生機器等の種々の電気機器が装着される。したがって従来は、機器本体の蝶番の近くからフレキシブルな電源コード，通信線等を当該表装枠に配線することにより、各電気機器の作動用電源および制御用信号を送信する構造であった。
下記特許文献１にて開示された遊技機では、雄コネクタと雌コネクタとからなる配線接続手段を機器本体側と表装枠側に設けている。
また、下記特許文献２にて開示された遊技機では、組立時に双方の金具を接触させることにより電気的導通を図り配線を省略し得るようにしている。
【０００３】
【特許文献１】
特開平８−１５０２５４号公報
【特許文献２】
特開２００２−６６０４９号公報
【０００４】
【発明が解決しようとする課題】
ところで近時の遊技機は、表装枠に多数のランプ，発光ダイオード等の電飾を搭載しボリューム感のある演出をするために遊技状況に応じその点滅状態が複雑に制御されるようにしている。このため上記従来の有線接続手段では多数本の電線が必要となるものであったが、電線の本数が増加すると表装枠を開閉する際にこれを挟むおそれがあり、故障の原因となるものであった。また、表装枠だけを新規のデザインのものに交換しようとした場合にも、従来のように多数本の電線で機器本体と繋がっていると雄雌のコネクタの整合性等が問題となるものであった。
【０００５】
【課題を解決するための手段】
本発明の遊技機は上記課題を解決しようとするもので、機器本体の前面に蝶番を介して表装枠を開閉可能に枢着してなる遊技機であって、表装枠に装着された電気機器の作動用電源を導電性の前記蝶番を介して機器本体側から供給すると共に、該機器本体に設けられた制御装置の制御用信号を該機器本体と表装枠とに対向状に設けられた送信機と受信機とからなるコードレス通信手段を介して前記電気機器に伝送するようにしたことを特徴とする。
【０００６】
また本発明は、機器本体の前面に蝶番を介して表装枠を開閉可能に枢着してなる遊技機であって、表装枠に装着された電気機器の作動用電源を該表装枠に設けられた導電性の錠金具を介して機器本体側から供給すると共に、該機器本体に設けられた制御装置の制御用信号を該機器本体と表装枠とに対向状に設けられた送信機と受信機とからなるコードレス通信手段を介して前記電気機器に伝送するようにしたことを特徴とする。
【０００７】
また本発明は、機器本体の前面に蝶番を介して表装枠を開閉可能に枢着してなる遊技機であって、表装枠に装着された電気機器の作動用電源を機器本体と表装枠とに対向状に設けられたコードレス送電手段を介して機器本体側から供給すると共に、該機器本体に設けられた制御装置の制御用信号を該機器本体と表装枠とに対向状に設けられたコードレス通信手段を介して前記電気機器に伝送するようにしたことを特徴とする。
【０００８】
また本発明は上記遊技機において、電気機器はランプ，発光ダイオード等の発光機器であることを特徴とする。
また本発明は上記遊技機において、コードレス通信手段は投光器と受光器とからなる光通信手段であることを特徴とする。
また本発明は上記遊技機において、コードレス通信手段は制御用信号をシリアル信号に変換して送受信するものであることを特徴とする。
また本発明は上記遊技機において、電気機器は液晶表示装置等の表示機器であることを特徴とする。
また本発明は上記遊技機において、電気機器は音声再生機器であることを特徴とする。
また本発明は上記遊技機において、コードレス通信手段は送信用電磁コイルと受信用電磁コイルとからなる電磁波通信手段であることを特徴とする。
また本発明は上記遊技機において、電気機器は操作スイッチであることを特徴とする。
また本発明は上記遊技機において、コードレス通信手段は制御装置の制御用信号と電気機器の制御用信号とを双方向に送受信するものであることを特徴とする。
また本発明は上記遊技機において、コードレス送電手段は送電用電磁コイルと受電用電磁コイルとからなる電磁波送電手段であることを特徴とする。
また本発明は上記遊技機において、コードレス送電手段は機器本体側に設けられた光源と表装枠に設けられた太陽電池とからなるものであることを特徴とする。
また本発明は上記遊技機において、表装枠を開くことにより作動用電源の供給をオフとする開閉検出スイッチを機器本体に設けたことを特徴とする。
【０００９】
【発明の実施の形態】
次に図面に従い請求項１に記載の発明の実施形態を説明する。図１は機器本体１から表装枠２を外した状態のパチンコ遊技機の斜視図、図２は表装枠２を取り付けて半開き状態としたパチンコ遊技機の斜視図である。機器本体１は、機枠３に前面枠４を開閉可能に設けるとともに該前面枠内に遊技盤５を設けている。６は該遊技盤５の下方に設けられた発射球供給用の球受皿、７は球貯留用皿、８は打球発射ハンドルである。また、７ａ，７ｂは前面枠４の一側に設けられた一対の導電性の蝶番である。また、表装枠２には遊技盤５が見られるように透明ガラスがはめられており、その一側に導電性の蝶番ピン８ａ，８ｂを設け、該蝶番ピンを蝶番７ａ，７ｂに挿通することにより開閉可能に枢着される。なお、９ａは表装枠２の他側縁に設けられた錠金具で、該錠金具が機器本体１に設けられた係合部９ｂに係合することで該表装枠２は閉止状態にロックされる。
【００１０】
図３は上記機器本体１と上記表装枠２に設けられる本発明に係る電気系のブロック図で、１０は機器本体１に設けられこのパチンコ遊技機の遊技制御をするとともに電飾を制御する制御装置（表示制御基板）、１１は機器本体１に設けられこのパチンコ遊技機の各電気機器に作動用電源を供給する電源基板である。また、２０は表装枠２に装飾用として設けられた複数のランプ２０ａ，発光ダイオード２０ｂ等の発光機器からなる電気機器、２１は該発光機器の点灯を制御する制御装置（電飾制御基板）で、該制御装置２１と前記各電気機器２０とは複数本の電線によって夫々パラレルに接続されている。
【００１１】
しかして、電源基板１１から導出された出力用電源コード１２ａ，１２ｂを夫々前記蝶番７ａ，７ｂに接続するとともに、蝶番ピン８ａ，８ｂより前記制御装置２１に電源コード２３ａ，２３ｂを配線することにより、該電源基板１１から出力された作動用電源が該蝶番７ａ，７ｂ，蝶番ピン８ａ，８ｂを介して前記制御装置２１に供給されるようにする。また、１４は前記制御装置１０から出力された制御用信号をシリアル信号に変換し投光器１５より光信号として発信する送信機で、該投光器１５は図２に示されるように表装枠２の内面と対向する機器本体１の前面に設けられる。また、２４は表装枠２の内面に受光器２５を前記投光器１５と相対するように設けてなる受信機で、該受信機は投光器１５より発信された光信号を該受光器２５にて受信しその信号を前記制御装置２１に伝播する。このため、前記制御装置２１は蝶番７ａ，７ｂを介して供給された作動用電源を受信機２４にて受信された制御用信号に従ってスイッチングし、電気機器２０の複数のランプ２０ａ，発光ダイオード２０ｂ等を点滅させる。
【００１２】
このように、表装枠２に設けられた電気機器２０に対し作動用電源を蝶番７ａ，７ｂを介して供給することで、比較的大電流でも供給可能であるので、消費電力の大きい多数のランプ，発光ダイオード等を作動させることができる。一方、制御用信号は上記のようなコードレス通信手段を経て送受信されるので、多数の電気機器を複雑に制御するに処しても従来のように多数本の電線を要しない。
【００１３】
なお上記実施形態は、表装枠２に設けられる電気機器としてランプおよび発光ダイオード等の発光機器を示したが、表装枠２に設けることが可能な電気機器としてはこれに限らず、遊技情報等を表示する液晶表示装置等の表示機器、或いは、効果音等の音声再生機器、或いは、球貸用ボタン，カード返却用ボタン等の球貸機の操作スイッチ等を設けることもできる。
【００１４】
また、上記実施形態はコードレス通信手段として投光器と受光器とからなる光通信手段を用いたが、機器本体１に投光器に代えて送信用電磁コイルを設けるとともに、表装枠２に受光器に代えて受信用電磁コイルを設け、両電磁コイル間で送受される電磁波に制御信号を重畳させ通信を行うようにすることもできる。
【００１５】
図４に示した実施形態は、機器本体１の制御装置１０にて効果音等の音声信号が変調して送信機１４に出力されるようにするとともに、表装枠２に音声信号復元装置と増幅器とからなる制御装置２１および音声再生機器となるスピーカ３０を設け、該制御装置２１に作動用電源を蝶番７ａ，７ｂを介して供給することにより、スピーカ３０にて制御装置１０から発信された効果音等の音声が再生されるようにしたものである。このようにコードレス通信により表装枠から音声が再生されるようにすることも可能である。
【００１６】
また、図５に示した実施形態は、表装枠２に送信機１４を設け、機器本体１に受信機２４を設けるとともに、表装枠２に球貸機の球貸用ボタンの操作スイッチ３５とカード返却用ボタンの操作スイッチ３６と補助遊技用スイッチ３７を設け、該各操作スイッチから発信される操作信号が信号変換装置を備えた制御装置１０を介して送信機１４に発信され、その操作信号が機器本体１側の受信機２４によって受信され制御装置２１にて復調され、球貸機本体（図示せず）が作動し得るようにしたものである。これによって表装枠２に球貸機に操作部を設けることも可能となる。
【００１７】
さらに図６に示した実施形態は、機器本体１と表装枠２に夫々送信機１４と受信機２４を設けることで双方向通信を可能にし、表装枠２にランプ２０ａ，発光ダイオード２０ｂ，音声再生機器３０，各種操作スイッチ３５〜３７，液晶表示装置４０，球送用ソレノイド４１等の電気機器を設けてなるものである。このようにコードレス通信により配線が簡素化または省略されることにより表装枠２に種々の電気機器を設けることが可能となる。
【００１８】
なお、上記実施形態では制御用信号をシリアル信号に変換することで、一組の投光器１５と受光器２５により多数の制御用信号を送受できるようにしたが、投光器と受光器を複数組設けることにより複数の制御用信号をパラレルに送受することも可能である。この場合、表装枠側に制御装置を設けなくても実施できる。
【００１９】
また、このパチンコ遊技機では、表装枠２が開放されたときは受信機の受信信号が無くなることから、その有無を常に監視することによって表装枠２が開放状態にあるかどうかを監視することもでき、従来からパチンコ遊技機に設けられている開放スイッチの機能を代用させることも可能となる。
なお、電源電流の導通性を改善するために上記蝶番７ａ，７ｂとして多軸型のものを使用することは好ましい。
【００２０】
また、請求項２に記載の発明は、機器本体１から表装枠２に上記錠金具９ａを介して作動用電源が供給されるようにするものであり、こうすることによっても上記実施形態に示した蝶番と同様に表装枠を開閉する際の電線を挟むようなトラブルが防止される。また、錠金具９ａを介することでは、該錠金具が係合部９ｂに係合し閉止状態にロックされていないと作動用電源が供給されないようにできるので、表装枠２が開放状態にあるかどうかがこれによってさらに容易に監視できるようになる。また、蝶番７ａ，７ｂと錠金具９ａとを併用して作動用電源が供給されるようにしてもよいことは勿論である。
【００２１】
また、図７は請求項１２に記載の発明の実施形態を示すもので、この実施形態では、機器本体１に設けられた電源基板１１の出力電流を発振回路５０を通すことにより高周波電流に変換し、送信用電磁コイル５１より電磁波として出力されるようにするとともに、表装枠２に該電磁コイル５１と相対する受信用電磁コイル５２を設け、該電磁コイル５２に励起された高周波電流を整流器５３，平滑回路５４により直流に変換し、制御装置２１に供給するようにしたものである。このような電磁波を介して送電するコードレス送電手段を設けることも可能である。
【００２２】
また、図８は請求項１３に記載の発明の実施形態を示すもので、この実施形態では機器本体１に設けられた電源基板１１の出力電流により点灯する光源６０を設け、該光源と相対するように太陽電池６１を表装枠２に設け、該太陽電池６１の出力電流を制御装置２１に供給するものである。このように光を介して送電するコードレス送電手段を設けることも可能である。
【００２３】
また図９は、遊技機の前面に、所謂ガラス枠である表装枠２ａと、発射球供給用の球受皿が設けられた表装枠２ｂとを夫々開閉可能に枢着されたパチンコ機における本発明の実施形態を例示する。この場合、表装枠２ａのみならず表装枠２ｂについても蝶番を介して機器本体側から作動用電源を供給すると共に、制御用信号をコードレス通信手段を介して送受信することが可能である。そして、表装枠２ａにはＬＥＤ駆動装置，スピーカ駆動装置等のドライバ４２を設け、表装枠２ａにはシリアル・パラレル変換回路４３を設けられる。なお、４４はプリペイドカードリーダーである。その他、前記実施形態と同一部分は同一符号を付す。また、図示しないが、表装枠２ａと表装枠２ｂとの間にコードレス通信手段，コードレス送電手段を設け、表装枠２ｂで必要とされる情報および電源が表装枠２ａを経由して得られるようにしてもよい。その反対に表装枠２ａで必要とされる情報および電源が表装枠２ｂを経由して得られるようにしてもよい。
また、表装枠２ａ（ガラス枠）の下側の蝶番と表装枠２ｂ（球受皿）の上側の蝶番を１つの部品として、共通のグラウンドとしてもよい。
【００２４】
また、図１０，図１１は請求項１４に記載の発明の実施形態を示すもので、この実施形態では機器本体１の前面に表装枠２の裏面と相対するように開閉検出スイッチ１３を設け、電源基板１１と一方の蝶番７ａとを結ぶ出力用電源コード１２ａに該開閉検出スイッチを介在させ、表装枠２を開くと該開閉検出スイッチの接点が開いて作動用電源の供給がオフとなるようにしている。このように開閉検出スイッチ１３を設けたことにより、表装枠２が外され蝶番７ａ，７ｂが露出状態となっていても短絡、或いは漏電を起こすおそれがなく、火災等の事故或いは危険を回避することができる。また、この開閉検出スイッチ１３は表装枠２が開放されたことを管理室等に通知し警告するためのセンサとしての機能を兼用させることが可能である。
【００２５】
なお、制御用信号をシリアル信号に変換するシリアル通信方式は、簡易な構成が可能となるが、ノイズによる誤作動を防止するとともに、通信精度、或いはセキュリティを高めるための一手段として、次に説明するようなパルス幅の大小により１と０を判別する通信方式を採ることが有効である。即ち、図１２のタイムチャートに示したように、送信機側ではデータ送信時に一定時間（例えば１０μＳ）のストローブ時間Ｓを加えて送信し、受信機側ではそのストローブ時間Ｓ以降をデータ認識時間Ｄとしてそのレベルを読み込むものであり、これによって１ビットごとにデータを確定し取得できることから、信頼性が増しノイズ等の外乱に強くなり安全性も向上する。
【００２６】
なお上記実施形態では表装枠として所謂ガラス枠を例としたが、遊技機の前面に設けられるその他の開閉板、例えば球受皿、或いはガラス枠と球受皿とが一体的に設けたような覆板体を対象とすることができる。
【００２７】
【発明の効果】
このように本発明の遊技機によれば、機器本体と表装枠とを繋ぐ電線が一切不要となり、表装枠を開閉する際に電線を挟むおそれが無く故障の原因を絶つことができるとともに、表装枠を交換するに際しても電線コネクタの整合性等を考慮しなくてよくなり交換が容易となるなど有益な効果がある。
【図面の簡単な説明】
【図１】本発明の実施形態を示すパチンコ遊技機の機器本体から表装枠を外した状態の斜視図。
【図２】図１の遊技機の表装枠を取り付けて半開き状態とした斜視図。
【図３】本発明の実施形態を示す遊技機のブロック図。
【図４】本発明の実施形態を示す遊技機のブロック図。
【図５】本発明の実施形態を示す遊技機のブロック図。
【図６】本発明の実施形態を示す遊技機のブロック図。
【図７】本発明の実施形態を示す遊技機のブロック図。
【図８】本発明の実施形態を示す遊技機のブロック図。
【図９】本発明の実施形態を示す遊技機のブロック図。
【図１０】本発明の実施形態を示す遊技機の表装枠を半開き状態とした斜視図。
【図１１】本発明の実施形態を示す遊技機のブロック図。
【図１２】本発明の実施形態である遊技機の通信方式を示したタイムチャート。
【符号の説明】
１            機器本体
２            表装枠
７ａ，７ｂ    蝶番
９ａ          錠金具
１０          制御装置
１１          電源基板
１３          開閉検出スイッチ
１４          送信機
１５          投光器
２０          電気機器
２０ａ        ランプ
２０ｂ        発光ダイオード
２１          制御装置
２４          受信機
２５          受光器
３０          音声再生機器
３５〜３７    操作スイッチ
４０          液晶表示装置
５１          送信用電磁コイル
５２          受信用電磁コイル
６０          光源
６１          太陽電池
【図１】
2004188166.tif 000003
【図２】
2004188166.tif 000004
【図３】
2004188166.tif 000005
【図４】
2004188166.tif 000006
【図５】
2004188166.tif 000007
【図６】
2004188166.tif 000008
【図７】
2004188166.tif 000009
【図８】
2004188166.tif 000010
【図９】
2004188166.tif 000011
【図１０】
2004188166.tif 000012
【図１１】
2004188166.tif 000013
【図１２】
2004188166.tif 000014